(57)【特許請求の範囲】
【請求項１】
光源を有する照明部と、前記照明部を支持する筒状の支柱と、前記光源に電力を供給するためのソーラーパネルと、前記電力を蓄電するための蓄電池とを備えた照明灯であって、前記蓄電池は、前記支柱の背面に設けられた開口部から出し入れ可能に該支柱内部に取付けられる収納箱内に収納されると共に、前記収納箱は、上下方向に間隔をおいて仕切り板が設けられ、該仕切り板の間に蓄電池がそれぞれ収納され、かつ支柱内に設けられた受け板上に取付けられていることを特徴とする照明灯。
【請求項２】
前記収納箱は、蓄電池を出し入れされる背面側が開口された水平断面コ字状の収納箱本体に、上下方向に間隔をおいて複数の仕切り板が取付けられ、該仕切り板は、蓄電池が載置される載置板と、載置板の背面側端部から下方に垂下された垂下片と、両側端部から下方に垂下された横垂下片とを備え、前記横垂下片が収納箱本体の内側壁部に接合されていることを特徴とする請求項１に記載の照明灯。
【請求項３】
前記収納箱本体の横幅より細幅の押さえ板が、前記仕切り板の垂下片を介して、収納箱本体の開口側において上下方向に取付けられていることを特徴とする請求項２に記載の照明灯。
【発明の詳細な説明】
【技術分野】
【０００１】
本発明は、太陽電池により起電された電力を用いて照明を行う照明灯に関するものである。
【背景技術】
【０００２】
一般に、太陽電池を利用して発電した電力を利用して照明を行う照明灯としては、様々なものが提案されている。
【０００３】
例えば、特許文献１には、中空支柱に太陽電池パネルと、光源とを設けると共にコントローラーと蓄電池とを具備し、前記蓄電池とコントローラーと中空支柱に内装すると共に、該蓄電池を出入自在とした開閉扉と蓄電池を載置する棚板とが中空支柱に設けられた太陽電池を用いた点灯装置が提案されている。
【０００４】
また、本出願人においても、三体以上の立設された支柱と、自然エネルギーを利用した風力、太陽光等の自然エネルギー発電手段と、該自然エネルギー発電手段により生起された電力を用いて照明を行う照明手段とを備え、前記三体以上の支柱に囲まれた空間内に、前記自然エネルギー発電手段及び前記照明手段とが支柱に取付けられて設けられた自然エネルギー利用照明灯を提案している。
【先行技術文献】
【特許文献】
【０００５】
【特許文献１】実公昭６２−４０３２８号公報
【特許文献２】特開２００６−７３３７８号公報
【発明の概要】
【発明が解決しようとする課題】
【０００６】
しかしながら、前記の太陽電池を用いた点灯装置は、蓄電池を棚板に載置するので、地震等の外部から衝撃があった場合、中空支柱ないで蓄電池が動かないように固定するには、棚板に予め用いる蓄電池の数が増える程、棚板の数が多くなり、それに伴って取付作業や、蓄電池のリード線を結線する作業等が煩雑となり、蓄電池を多数用いる場合には不向きであった。
【０００７】
本発明は、前記の如き問題点を解消し、蓄電池を多数用いる場合であっても、支柱内部に比較的容易に取付けることができる照明灯を提供せんとするものである。
【課題を解決するための手段】
【０００８】
上記目的を達成するために、本発明は次のような構成としている。
すなわちこの発明に係る照明灯は、光源を有する照明部と、前記照明部を支持する筒状の支柱と、前記光源に電力を供給するためのソーラーパネルと、前記電力を蓄電するための蓄電池とを備えた照明灯であって、前記蓄電池は、前記支柱の背面に設けられた開口部から出し入れ可能に該支柱内部に取付けられる収納箱内に収納されると共に、前記収納箱は、上下方向に間隔をおいて仕切り板が設けられ、該仕切り板の間に蓄電池がそれぞれ収納され、かつ支柱内に設けられた受け板上に取付けられていることを特徴とするものである。
【０００９】
本発明に係る照明灯において、前記収納箱が、蓄電池を出し入れされる背面側が開口された水平断面コ字状の収納箱本体に、上下方向に間隔をおいて複数の仕切り板が取付けられ、該仕切り板が、蓄電池が載置される載置板と、載置板の背面側端部から下方に垂下された垂下片と、両側端部から下方に垂下された横垂下片とを備え、前記横垂下片が収納箱本体の内側壁部に接合されるように構成してもよい。
【００１０】
また本発明に係る照明灯において、前記収納箱本体の横幅より細幅の押さえ板を、前記仕切り板の垂下片を介して、収納箱本体の開口側において上下方向に取付けられるように構成してもよい。
【発明の効果】
【００１１】
本発明によれば、前記蓄電池は、前記支柱の背面に設けられた開口部から出し入れ可能に該支柱内部に取付けられる収納箱内に収納されると共に、前記収納箱は、上下方向に間隔をおいて仕切り板が設けられ、該仕切り板の間に蓄電池がそれぞれ収納され、かつ支柱内に設けられた受け板上に取付けられているので、特に比較的小形の蓄電池を使用し、必要な電力量は蓄電池の収量を増やすことにより賄おうとする場合に、収納箱単位で組立作業やメンテナンス等の各作業が行うことができる。
【００１２】
本発明において、前記収納箱が、蓄電池を出し入れされる背面側が開口された水平断面コ字状の収納箱本体に、上下方向に間隔をおいて複数の仕切り板が取付けられ、該仕切り板が、蓄電池が載置される載置板と、載置板の背面側端部から下方に垂下された垂下片と、両側端部から下方に垂下された横垂下片とを備え、前記横垂下片が収納箱本体の内側壁部に接合されているように構成すれば、前記仕切り板において、蓄電池が載置される載置板の強度を高め、また作製も容易であり、加えて、蓄電池とその上方の仕切り板との間には、少なくとも仕切り板の上下寸法分の隙間が形成されるので、蓄電池による発熱を放熱しやすくなる。
【００１３】
また本発明において、前記収納箱本体の横幅より細幅の押さえ板が、前記仕切り板の垂下片を介して、収納箱本体の開口側において上下方向に取付けられているように構成すれば、収納箱に収納された蓄電池が落下や不必要な移動等は起こりにくく、また収納された蓄電池の収納状況を目視できるので、蓄電池の異常も目視で確認できる。
【図面の簡単な説明】
【００１４】
【図１】本発明に係る照明灯の実施の一形態を示す説明図である。
【図２】照明部の実施の一形態を示す説明図である。
【図３】図１のソーラーパネルの説明図である。
【図４】照明部とソーラーパネルとの接続構造の一形態を示す説明図である。
【図５】照明部と支柱との関係との接続構造の一形態を示す説明図である。
【図６】支柱の実施の一形態を示す説明図である。
【図７】収納箱の実施の一形態を示す説明図である。
【図８】収納箱の実施の一形態を示す説明図である。
【図９】支柱に対する収納箱の取付構造の一形態を示す説明図である。
【図１０】支柱に対する制御部の取付構造の一形態を示す説明図である。
【発明を実施するための形態】
【００１５】
次に、本発明を実施するための最良の形態について図面を参照し、具体的に説明する。
【００１６】
すなわち、図１は本発明に係る照明灯Ｐの実施の一形態を示すものであり、（ａ）は正面図、（ｂ）は背面図、（ｃ）は側面図である。１は周囲を照らすための灯部１１を有する照明部、２は照明部１を支持する筒状の支柱、３は灯部１１に電力を供給するソーラーパネル、４はソーラーパネル３によって発電された電力を蓄電する蓄電池であり、照明灯Ｐは、照明部１、支柱２、ソーラーパネル３及び蓄電池４から主に構成されており、ソーラーパネル３で発電した電力を支柱２内に内装された蓄電池４に蓄電し、それを利用して照明部１の灯部１１によって設置面の周囲を照らすものである。
【００１７】
図２は、照明部１の部分分解説明図である。照明部１は、ソーラーパネル３で発電した電力を利用して点灯される灯部１１と、該灯部１１を収納する筐体１２とを有している。そして図１に示すように、前記灯部１１を正面にして、筐体１２が支柱２に取付けられている。
【００１８】
筐体１２は、該筐体１２の内部に灯部１１を収納する収納空間１２ａを有し、該収納空間１２ａ内に前記灯部１１を固定できるものであればよい。該筐体１２には、収納空間１２ａ内に前記灯部１１等を出し入れするための開口部１２ｂが上面から背面側にかけて形成され、前記開口部１２ｂは固定ビスＢ１を介して開閉蓋１３により開閉される。
【００１９】
灯部１１は、周囲を照射できる位置に固定できるものであればよい。本実施形態では、図２に示すように、点灯して灯部１１からレンズ部１１ａを通った光が、筐体１２に形成された前面の開口窓１２ｃから外部に向けて放出されるものである。そして前記灯部１１は、開口窓１２ｃの内縁部と灯部１１のつば部１１ｂとに取付けられる断面コ字状の支持金具１２ｄ、固定ビスＢ２、パッキンＰ２とによって、開口窓１２ｃの内縁部に固定され、該開口窓１２ｃを内側から塞いでいる。開口窓１２ｃは、下向きに開口しているので、筐体１２内に雨水等が浸入しにくくなっている。
【００２０】
図３は、図１のソーラーパネル３の説明図であり、（ａ）はその部分拡大正面図、（ｂ）は部分拡大側面図である。ソーラーパネル３は、一般には太陽電池モジュール３１と、該太陽電池モジュール３１の外周部に沿って取付けられる枠体３２を有する架台３３とを備え、前記架台３３によって太陽電池モジュール３１の受光面を斜め上方に向けて支持することができる。本実施形態では、架台３３の上端部には上方に向けて鳥よけ棒３４が取付けられている。
【００２１】
図４は、照明部１とソーラーパネル３との接続構造を示す説明図であり、（ａ）は部分分解図、（ｂ）は接続状態図である。架台３３の背面からは円筒状の支持柱３５が下方に垂下されている。一方照明部１の上面からは上方に向けて円筒状の受け柱１４が立設されている。そして前記支持柱３５が該受け柱１４に回動可能に外嵌されている。これにより、照明部１の灯部１１の照射方向を任意に設定し、かつソーラーパネル３の受光面の方角を任意に設定することができる。
【００２２】
また本実施形態では、支持柱３５の側壁に雌螺子部３６を設け、該雌螺子部３６に固定ビスＢ５を螺入させて、該固定ビスＢ３の先端を受け柱１４の側壁に突き当てることにより、設置後における受け柱１４に対する支持柱３５を固定すると共に不必要な回動を防止している。
【００２３】
これら構造により、ソーラーパネル３で発電した電力は、ソーラーパネル３の裏面から架台３３、支持柱３５及び受け柱１４の中を通って、筐体１２の収納空間１２ａ内まで、リード線６を通すことができる。
【００２４】
支持柱３５及び受け柱１４は、一般には強度的に安定しておりコストの安い鋼管を適宜加工したものが好適に用いられるが、ステンレス合金、アルミニウム合金などの他の金属からなる板材を用いてもよい。また耐食性や耐候性を高めるために金属めっきや塗装を施してもよい。
【００２５】
支柱２は、図１に示すように、設置面に立設されて照明部１を支持すると共に、筒状となされて該支柱２内に蓄電池４が収納されるものである。なお、一般に照明灯Ｐには、灯部１１、ソーラーパネル３、蓄電池４とがリード線６を介して制御部２１と接続されており、本実施形態では、前記制御部２１は、支柱２内に収納されているが、照明部１の筐体１２の収納空間１２ａ内に収納された形態（図示せず）でもよい。
【００２６】
支柱２は、一般には強度的に安定しておりコストの安い角パイプ状の鋼管が用いられるが、該支柱２内に蓄電池４を収納できる形態であれば、円筒状の鋼管を用いてもよい。またステンレス合金やアルミニウム合金等の他の金属材料から形成されたものでもよい。更に耐食性や耐候性を高めるために金属めっきや塗装を施してもよい。また支柱２の下端部にはベース部２ａが設けられ、更に支柱２とベース部２ａとを接続する縦リブ２ｂが設けられているが、支柱２を設置面に直接埋設してもよい。
【００２７】
図５は、図１の（ｃ）の支柱２に対する照明部１の接続構造を示す部分拡大図である。支柱２は、その上端に上方に向けて筒状部２２ａが立設された天板２２が設けられ、筒状部２２ａは上下方向に中空状に貫通されて支柱２内に繋がっている。一方、照明部１は、その底面に上下に貫通する貫通孔１５が設けられ、該貫通孔１５の内縁部に沿ってリング状の補強部材１５ａが取付けられている。そして、前記筒状部２２ａが貫通孔１５に通され、天板２２と照明部１の底面とが当接され、固定ビスＢ４を介して締結されることによって、照明部１が支柱２の上端に取付けられる。これにより、筒状部２２ａを通じて、収納空間１２ａから支柱２内に、又はその逆方向にリード線６を通すことができる。なお、支柱２に対する照明部１の取付構造は、照明部１の収納空間１２ａが該支柱２内に繋がってリード線６を通すことができる形態であれば、特に限定されるものではない。
【００２８】
図６は、支柱２の説明図であり、（ａ）は背面視の分解説明図、（ｂ）は側面視の分解説明図である。支柱２は、該支柱２の背面側から支柱２内に蓄電池４を出し入れするための開口部２３が上下に２個形成され、前記開口部２３は開閉蓋２４により開閉される。
【００２９】
開閉蓋２４は、一般には鋼板が用いられ、開口部２３及びその外縁部を覆うと共に、固定ビスＢ５が通るビス孔２４ａが形成されている。そして固定ビスＢ５を前記ビス孔２４ａから開口部２３の外縁部に形成された雌螺子部２３ａに螺入させることによって、支柱２に開閉蓋２４が固定される。かかる開閉蓋２４は、前記のように開口部２３を覆って支柱２に固定できればよいので、平板状でもよいが、本実施形態では、開口部２３が形成された支柱２の背面と該背面から支柱２の両側面を覆う断面コ字状となされており、かようにすれば、開閉蓋２４を固定作業の時に、作業者は開閉蓋２４の折り曲げ箇所を持って作業することができるので、開閉蓋２４の取り扱いや、ビス孔２４ａと雌螺子部２３ａとの位置合わせが容易となる。
【００３０】
蓄電池４は、灯部１１を必要時間点灯させるための電力が蓄電可能なものであり、該蓄電池４が収納された収納箱７を支柱２内に取付けることによって、支柱２内に収納されるものである。
【００３１】
図７は、収納箱４の説明図であり、（ａ）は正面図、（ｂ）は（ａ）側面図、（ｃ）はＡ−Ａ端面図である。収納箱７は、蓄電池４を出し入れする背面側が開口された箱状で、該収納箱７内の上下方向に間隔をおいて複数の仕切り板７１が設けられて、上下方向に収納部７２が複数形成された形態であり、該仕切り板７１上に蓄電池４を載置して複数の蓄電池４を収納するものである。本実施形態では、背面側が開口された水平断面コ字状の収納箱本体７ａに、前記仕切り板７１が取付けられたものであり、収納箱７の上端及び下端に取付けられた仕切り板７１は、それぞれ収納箱７の天板７３と底板７４となされている。
【００３２】
仕切り板７１は、本実施形態では、蓄電池４が載置される載置板７１ａと、載置板７１ａにおいて、背面側端部から下方に垂下される垂下片７１ｂと、両側端部から下方に垂下される横垂下片７１ｃとを備えている。そして横垂下片７１ｃと収納箱本体７ａの内側壁部とが接合されることによって、収納箱本体７ａに仕切り板７１が固定されている。前記接合手段はリベットを用いたものでもよく、溶接でもよい。
【００３３】
図８は、蓄電池４と収納箱７との関係を示す説明図であり、（ａ）は分解背面図、（ｂ）は（ａ）のＢ−Ｂ断面の分解説明図である。収納箱７内の仕切り板７１によって仕切られた各収納部７２内に蓄電池４を固定する場合は、例えば、図示しないが、固定ビスを介して蓄電池４の底部と仕切り板７１とを固定する形態でもよいが、本実施形態では、収納箱７の開口側を細幅の押さえ板７５で覆うものである。具体的には、押さえ板７５は、収納箱７の上下方向の長さと同程度の長さであり、該押さえ板７５に設けられたビス孔７５ａから仕切り板７１の垂下片７１ｂに設けられた雌螺子部７１ｃに固定ビスＢ６を螺入することで、該押さえ板７５により蓄電池４を収納部７２の奥側に押圧し、蓄電池４が収納箱７から落下せず、また収納部７２内で不必要に動かないようにすることができる。なお、押さえ板７５は、収納箱７の開口をすべて覆う必要はなく、蓄電池４の収納状態を目視可能であり、また前記の通り蓄電池４が収納部７２内で不必要に動かないように固定できるものであればよい。また、上下方向に配置された蓄電池４の間には、少なくとも仕切り板７１の垂下片７１ｂの上下寸法より幅広の空間Ｓが形成されており、蓄電池４による発熱を放熱しやすくなる。
【００３４】
図９は、支柱２に対する収納箱７の取付構造を示す説明図であり、（ａ）は部分背面図、（ｂ）は（ａ）のＣ−Ｃ断面の分解説明図である。前記蓄電池４が収納された収納箱７は、支柱２の開口部２３より、支柱２内に設けられた水平方向に延びる受け板２５上に載置される。これにより、同じ数量の蓄電池４を一個ずつ支柱２内の受け板２５に載置する場合と比べて、受け板２５の数を減らすことができ、受け板２５の支柱２内に接合する接合作業等の支柱２の製作が容易になる。加えて、複数の蓄電池４を収納した収納箱７を支柱２内に取付ければよいので、設置現場での取付作業や、支柱２内に収納した蓄電池４を交換する場合の交換作業が容易となる。
【００３５】
収納箱７は、本実施形態では、仕切り板７１により上下方向に三個の収納部７２が設けられ、各収納部７２に１個の蓄電池４が収納されているが、蓄電池４の必要個数を収納して支柱２内に取付け可能となる形態であれば、特に限定されるものではない。なお、本実施形態で用いられる六個の蓄電池４を一個の収納箱７に収納した形態でもよいが、そうすると蓄電池４を収納した収納箱７が重くて取り扱いにくくなり、また前記収納箱７を支柱２内に収納するために支柱２の開口部２３が上下方向に長くなり、支柱２の強度低下に繋がる可能性がある。そこで、図６の本実施形態の収納箱７のように、使用する蓄電池４を複数の収納箱７に分けて収納し、加えて支柱２の背面において、上下方向に間隔をおいて開口部２３を複数個作成してそれぞれの開口部２３から各収納箱７を出し入れして収納箱７を支柱２内に取付けてもよい。これにより、蓄電池４を収納した収納箱７を取り扱いやすくし、支柱２の強度低下を抑えることができる。
【００３６】
収納箱７は、支柱２内で不必要に移動しない状態で取付けられればよい。本実施形態では、図９に示すように、収納箱７の底板７４が受け板２５の下方折曲部２５ａに固定ビスＢ８を介して接合され、収納箱７の天板７３が、受け板２５の上方に設けられた水平方向に延びる補助板２６の下方折曲部２６ａに固定ビスＢ８を介して接合されることによって、支柱２内に取付けられている。
【００３７】
すなわち、天板７３は、収納箱７の開口側の端部から上方に延びる上当て部７３ａが設けられ、底面７４は、収納箱７の開口側の端部から下方に延びる下当て部７４ａが設けられている。一方、支柱２の受け板２５は、支柱２の開口部２３側の端部から下方に延びる下方折曲部２５ａが形成されている。更に、補助板２６は、支柱２の開口部２３側の端部から下方に延びる下方折曲部２６ａが形成されている。そして、上当て板７３ａ、下当て板７４ａは、下方折曲部２６ａ、下方折曲部２５ａにそれぞれ係止される。これにより、収納箱７を開口部２３から支柱２の前面側に向けて必要以上に移動しないので、収納箱７と支柱２の前壁部２７との不必要な接触を避けることができる。
【００３８】
収納箱７を受け板２５上に載置し、固定ビスＢ８を上当て部７３ａの縦長孔７３ｂから下方折曲部２６ａの雌螺子部２６ｂに螺入して、下当て板７４ａの縦長孔７３ｂから下方折曲部２５ａの雌螺子部２５ｂに螺入することにより、収納箱７を支柱２内に取付ける。これにより、固定ビスＢ８を水平方向に螺着することができるので、開口部２３から前記螺着作業をしやすくなる。
【００３９】
また、前記の通り、収納箱７内に複数の蓄電池４を収納できるので、収納箱７内に収納した各蓄電池４のリード線（図示せず）を予め結線してコネクターを取付けておけば、収納箱７を支柱２に収納した後、制御部２１に通じるリード線のコネクター（図示せず）と蓄電池４のコネクターとの接続箇所を少なくできるので、設置現場でのコネクターの接続作業が容易となる。そして、収納箱７を支柱２内に取付けた際、収納箱７の開口側と支柱２の開口部２３との間に隙間２８を設けておけば、リード線（図示せず）を前記隙間２８に配線することにより、前記コネクターの接続作業が更に容易となる。
【００４０】
なお、上記形態は、支柱１内部に蓄電池を収納するに際して、小形の蓄電池を使用し、必要な電力量は蓄電池の収量を増やすことにより賄おうとするものである。しかしながら、多数の蓄電池を支柱１内部にバラバラで収納していたのでは、組立作業やメンテナンスが煩雑になることから、蓄電池を収納箱７に収納することとし、収納箱７を複数の収納部７２に仕切り、各収納部７２に各蓄電池を収納することにより、収納箱７単位で組立作業やメンテナンス等の各作業が行えるようにしたものである。
【００４１】
照明灯Ｐは、一般には、前記灯部１１、ソーラーパネル３及び蓄電池４とがリード線６を介して制御部８と接続されている。本実施形態では、前記制御部８は、架台８１を介して支柱２内に収納されている。
【００４２】
図１０は、支柱２に対する制御部８の取付構造を示す説明図であり、（ａ）は背面図、（ｂ）は（ａ）の部分断面図である。架台８１は、制御部８を取付けるための架台本体８２と支柱２内に固定するための脚部８３とを備えている。一方支柱２内には、脚部８３を固定するための受け部８４が設けられている。脚部８３及び受け部８４はいずれも左右方向に延びた形態であり、制御部８を取付けた架台８１を開口部２３から支柱２内に挿入し、前記脚部８３を受け部８４に当接し、脚部８３に形成された縦長孔８３ａから受け部８４に形成された雌螺子部８４ａに向け固定ビスＢ９を螺入することにより、受け部８４に脚部８３が固定され、制御部８が支柱２内に取付けられる。
【００４３】
制御部８は、リード線６を介して蓄電池４等に接続できる向きで収納されればよいが、本実施形態では、制御部８を横に倒して底面が側方に配置される向きで支柱２内に収納されており、前記架台８１の架台本体８２も取付面が側方に向いており、一方脚部８３は前記のように上下方向に延びた背面視略コ字状である。これにより、支柱２の開口部３から制御部８を目視してリード線６の操作ができるように該制御部８を取付けることができる。
【符号の説明】
【００４４】
１    照明部
２    支柱
２３  開口部
２５  受け板
３    ソーラーパネル
４    蓄電池
６    リード線
７    収納箱
７１  仕切り板
７２  収納部
【図１】
0005469021.tif 000002
【図２】
0005469021.tif 000003
【図３】
0005469021.tif 000004
【図４】
0005469021.tif 000005
【図５】
0005469021.tif 000006
【図６】
0005469021.tif 000007
【図７】
0005469021.tif 000008
【図８】
0005469021.tif 000009
【図９】
0005469021.tif 000010
【図１０】
0005469021.tif 000011